(57)【要約】【課題】  遮断動作する設定震度に至らなくても、家屋に傾きが発生したら電路を遮断する埋込型コンセント装置を提供する。【解決手段】  電気機器のプラグを差し込むコンセント１２を有し、このコンセント１２への電源供給を遮断する電路遮断機構部１１を備え、所定の震度以上の地震を感知したら地震発生信号を出力すると共に、家屋の傾き発生を検知したら倒壊信号を出力する地震感知部２１とを有し、コンセントＣＰＵ２７は地震発生信号及び倒壊信号のうち少なくとも一方の信号を受けたら電路遮断機構部１１を遮断動作させる。【選択図】  図１
2019067704.tif 000002
【特許請求の範囲】
【請求項１】
電気機器のプラグを差し込むコンセントを有し、当該コンセントへの電源供給を遮断する遮断機構部を備えた埋込型コンセント装置であって、
所定の震度以上の地震を感知したら地震発生信号を出力する地震感知部と、家屋の傾き発生を検知したら倒壊信号を出力する倒壊検知部と、前記遮断機構部を遮断動作させる遮断制御部とを具備し、
前記遮断制御部は、前記地震発生信号及び前記倒壊信号のうち少なくとも一方の信号を受けたら前記遮断機構部を遮断動作させることを特徴とする埋込型コンセント装置。
【請求項２】
前記地震感知部は加速度センサを有して地震を感知すると共に傾きも検知し、前記倒壊検知部を兼ねていることを特徴とする請求項１記載の埋込型コンセント装置。
【請求項３】
外部に地震発生信号を出力すると共に、地震発生信号を外部から受信するための信号入出力端子を有し、
前記遮断制御部は、外部から入力された地震発生信号によっても前記遮断機構部を遮断動作させることを特徴とする請求項１又は２記載の埋込型コンセント装置。
【請求項４】
トラッキング放電を検出するトラッキング検出部を有し、前記遮断制御部はトラッキング放電が発生したら電路を遮断することを特徴とする請求項１乃至３の何れかに記載の埋込型コンセント装置。
【請求項５】
遮断原因が地震感知によるものかトラッキング発生によるものか表示する表示部を有することを特徴とする請求項４記載の埋込型コンセント装置。
【請求項６】
前記遮断機構部が動作したら、それを報音通知する報音部を有することを特徴とする請求項１乃至５の何れかに記載の埋込型コンセント装置。
【発明の詳細な説明】
【技術分野】
【０００１】
本発明は遮断機能を設けたコンセント装置に関し、特に壁面に埋設される埋込型コンセント装置に関する。
【背景技術】
【０００２】
壁面に取り付けられる埋込型コンセント装置には、単にコンセントを設けただけでなく、安全のための機能を搭載したものがある。例えば、特許文献１では、遮断機構を備えて過電流が電路に発生したり、接続したプラグにおいてトラッキング放電が発生したらコンセントを電路から遮断した。
また、分電盤等に感震センサ及び遮断信号を出力する制御ユニットを設けて、感震センサが地震発生を感知したら制御ユニットから出力される遮断信号を受けて遮断動作するコンセント装置が提案されている（例えば、特許文献２参照）。
【先行技術文献】
【特許文献】
【０００３】
【特許文献１】特開２００７−４２４０８号公報
【特許文献２】特開２０１６−２００５７４号公報
【発明の概要】
【発明が解決しようとする課題】
【０００４】
上記遮断機能を備えた埋込型コンセント装置は、壁面内に各種機構が内蔵されているため、壁面からの突出部がなく外観上も好ましかった。また、地震が発生したら外部からの信号を受けて遮断動作するコンセント装置は、接続されている電気ストーブ等の家庭内の一部の電気機器に対して電源を遮断することができ、安全対策上好ましいものであった。
しかしながら、遮断信号を出力する震度設定によっては、遮断信号が出力されなくても家屋が倒壊する場合があり、そのような場合は電路遮断しないため、漏電や火災が発生する可能性があった。
【０００５】
そこで、本発明はこのような問題点に鑑み、遮断動作する設定震度に至らなくても、家屋に傾きが発生したら電路を遮断する埋込型コンセント装置を提供することを目的としている。
【課題を解決するための手段】
【０００６】
上記課題を解決する為に、請求項１の発明は、電気機器のプラグを差し込むコンセントを有し、当該コンセントへの電源供給を遮断する遮断機構部を備えた埋込型コンセント装置であって、所定の震度以上の地震を感知したら地震発生信号を出力する地震感知部と、家屋の傾き発生を検知したら倒壊信号を出力する倒壊検知部と、遮断機構部を遮断動作させる遮断制御部とを具備し、遮断制御部は、地震発生信号及び倒壊信号のうち少なくとも一方の信号を受けたら遮断機構部を遮断動作させることを特徴とする。
この構成によれば、設定された震度の地震が発生しなくても、家屋が傾いたらそれを検知して電路を遮断してコンセントへの電源供給が遮断される。よって、漏電や火災が発生しやすい状態となったら確実にコンセント出力を停止でき、火災や感電事故等の発生を防ぐことができる。また、壁面に設置されることで、家屋の傾き検知を誤検知することもない。
【０００７】
請求項２の発明は、請求項１に記載の構成において、地震感知部は加速度センサを有して地震を感知すると共に傾きも検知し、倒壊検知部を兼ねていることを特徴とする。
この構成によれば、地震感知部が家屋の傾きも検出するため、別途倒壊検知部を必要としない。
【０００８】
請求項３の発明は、請求項１又は２に記載の構成において、外部に地震発生信号を出力すると共に、地震発生信号を外部から受信するための信号入出端子を有し、遮断制御部は、外部から入力された地震発生信号によっても遮断機構部を遮断動作させることを特徴とす。
この構成によれば、埋込型コンセント装置の信号入出力端子同士を接続することで、接続された何れかの埋込型コンセント装置の地震感知部が地震発生信号を出力したら、自身を始め接続されている全ての埋込型コンセント装置が遮断動作する。そのため、地震感知部が故障した埋込型コンセント装置があっても、複数の埋込型コンセント装置を連系させることで、地震発生を受けて確実にコンセント出力を遮断できる。
【０００９】
請求項４の発明は、請求項１乃至３の何れかに記載の構成において、トラッキング放電を検出するトラッキング検出部を有し、遮断制御部はトラッキング放電が発生したら電路を遮断することを特徴とする。
この構成によれば、トラッキング放電を検出したら電路を遮断するため、火災の発生を確実に防止できる。
【００１０】
請求項５の発明は、請求項４に記載の構成において、遮断原因が地震感知によるものかトラッキング発生によるものか表示する表示部を有することを特徴とする。
この構成によれば、表示部の表示により遮断原因が地震によるものかトラッキングによるものなのか後から把握でき対処し易い。
【００１１】
請求項６の発明は、請求項１乃至５の何れかに記載の構成において、遮断機構部が動作したら、それを報音通知する報音部を有することを特徴とする。
この構成によれば、遮断機構部が動作したら報音通知するため、住人は遮断動作したことを認識でき、対処し易い。
【発明の効果】
【００１２】
本発明によれば、設定された震度の地震が発生しなくても、家屋が傾いたら遮断動作してコンセントへの電源供給が遮断される。よって、漏電や火災が発生しやすい状態となったら確実にコンセント出力を停止でき、火災や感電事故等の発生を防ぐことができる。また、壁面に設置されることで、家屋の傾き検知を誤検知することもない。
【図面の簡単な説明】
【００１３】
【図１】本発明に係る埋込型コンセント装置の一例を示す回路ブロック図である。
【図２】埋込型コンセント装置の斜視図である。
【図３】埋込型コンセント装置の背面図である。
【図４】埋込型コンセント装置の平面図である。
【発明を実施するための形態】
【００１４】
以下、本発明を具体化した実施の形態を、図面を参照して詳細に説明する。図１は本発明に係る埋込型コンセント装置の一例を示す回路ブロック図であり、埋込型コンセント装置１は、１００Ｖの電路Ｌの途中に電路遮断機構部１１が設けられ、電路Ｌが接続されているコンセント１２からの出力を遮断する機能を備えている。
そして２は制御部であり、加速度センサ２１ａを備えた地震感知部２１、トラッキング検出部２２、電路Ｌに介在させた図示しない開閉接点を開操作して遮断動作する電路遮断機構部１１を動作させる電源トリップ回路２３、表示部２４ａ及びブザー２４ｂを有する通知部２４、信号入出力端子２６、信号入出力端子２６を介して信号の送受を実施する信号入出力インターフェース（信号入出力ＩＦ）２６ａ、制御部２を制御するコンセントＣＰＵ２７、電路遮断機構部１１をテスト動作させるテストスイッチ２８、通知部２４の動作を解除するリセットスイッチ２９、電源回路３０等を備えている。
【００１５】
図２〜４は埋込型コンセント装置１の外観図であり、図２は前面側から見た斜視図、図３は背面図、図４は平面図である。図２において、Ｓで示す面が壁面から露出する前面であり、右側の突起部Ｂは壁面内に配置されている図示しないコンセントボックスに収容される部位であり、電路遮断機構部１１、信号入出力端子２６、制御部２等が収容されている。尚、前面Ｓは図示しない化粧板で覆われて設置される。
埋込型コンセント装置１は、２個のコンセント１２が縦に配置され、コンセント１２の左側に表示部２４ａ、電路遮断機構部１１を開閉操作する操作レバー２５、テストスイッチ２８、リセットスイッチ２９が配置されている。
【００１６】
図３に示す３１，３２が埋込型コンセント装置１に接続される２本線から成る１００Ｖ電源線の接続部であり、中性相口（Ｎ相口）３１と電圧相口（Ｌ１或いはＬ２相口）３２とを有している。また、信号入出力端子２６は、図３，４に示すように突起部Ｂの上端に設けられており、２線から成る信号線が接続される。
【００１７】
地震感知部２１は、内蔵している加速度センサ２１ａにより地震の大きさが検出され、例えば震度５強等の予め設定された震度以上の地震を感知したら地震発生信号がコンセントＣＰＵ２７に対して出力される。
また、加速度センサ２１ａは傾きを検知し、埋込型コンセント装置１が壁面に設置された状態を直立状態（０度の状態）と認識し、例えば４５度等設定された角度の傾き或いはそれ以上の傾きが発生したら、倒壊したと判断して倒壊信号がコンセントＣＰＵ２７に対して出力される。尚、地震発生信号を出力する震度閾値や検知する傾きの閾値は、工場出荷時に設定される。
【００１８】
トラッキング検出部２２は、コンセント１２の２つのプラグ差込口の間にセンサ孔２２ａを有し、このセンサ孔２２ａの奥部にコンセント１２に接続された図示しないプラグの栓刃間で発生する放電（トラッキング放電）を検出するセンサ回路を備え、センサ孔２２ａを介して内部の回路がトラッキングの発生を検出する。トラッキング検出部２２がトラッキングを検出したら、コンセントＣＰＵ２７がそれを認識して電源トリップ回路２３を介して電路遮断機構部１１を遮断動作させる。
【００１９】
電源トリップ回路２３は、コンセントＣＰＵ２７から出力されるトリップ信号（遮断信号）を受けて電路遮断機構部１１を動作させる。
【００２０】
通知部２４を構成する表示部２４ａはＬＥＤで構成され、発光或いは点滅で状態を表示する。また、通知部２４を構成するブザー２４ｂは、電路遮断機構部１１の動作を受けて、即ちコンセントＣＰＵ２７がトリップ信号を出力したらそれを報音通知する。
【００２１】
信号入出力ＩＦ２６ａは、信号線が接続される信号入出力端子２６から自身のコンセントＣＰＵ２７が生成した地震発生信号を外部に出力すると共に、外部から地震発生信号が送信されたらコンセントＣＰＵ２７に通知するためのインターフェースである。この信号入出力端子２６を信号線を介して他の埋込型コンセント装置１の信号入出力端子２６と接続することで、埋込型コンセント装置１同士の連動を可能としている。
尚、信号線を介した埋込型コンセント装置１同士の接続は、内部で端子同士を接続したコンセント制御ユニット（図示せず）を介して実施され、埋込型コンセント装置１に接続された信号線は、全てコンセント制御ユニットに接続される。
【００２２】
上記の如く構成された埋込型コンセント装置は以下の様に動作する。コンセントＣＰＵ２７は、地震感知部２１から地震発生信号が出力されたら、電源トリップ回路２３に対してトリップ信号を出力して電路遮断機構部１１を遮断動作させる。この結果、コンセント１２は電路Ｌから遮断され、接続された負荷（図示せず）への電力供給は停止される。
同時に、通知部２４を構成する表示部２４ａを例えば点滅動作させ、遮断動作が地震発生による遮断であることを表示により通知動作させる。更に、ブザー２４ｂを鳴動させて電路遮断機構部１１が動作したことをブザー音で居住者に通知する。尚、この通知部２４の通知動作はリセットスイッチ２９の操作で停止する。
【００２３】
また、自身の地震感知部２１が地震発生信号を出力しなくても、信号入出力端子２６を介して外部から地震発生信号を受けたら、コンセントＣＰＵ２７が電源トリップ回路２３に対してトリップ信号を出力して電路遮断機構部１１を遮断動作させる。この場合も、通知部２４は上述した通知動作を実施する。
【００２４】
更に地震感知部２１は、感知した震度が設定震度に達しないことで地震発生信号を出力しなくても、住戸の傾きを検知しその傾きが設定された傾き以上であったら、倒壊信号を出力する。この倒壊信号を受けてコンセントＣＰＵ２７は、電源トリップ回路２３に対してトリップ信号を出力して電路遮断機構部１１を遮断動作させる。この結果、地震発生信号を受けた場合と同様に、コンセント１２は電路Ｌから遮断され、接続された負荷（図示せず）への電力供給は停止される。そして、ブザー２４ｂを鳴動させて電路遮断機構部１１が動作したことを報知させる。
【００２５】
一方、コンセント１２においてトラッキング放電が発生したらトラッキング検出部２２がそれを検知してトラッキング検知信号を出力する。このトラッキング検知信号を受けたコンセントＣＰＵ２７は、電路遮断機構部１１を遮断動作させる。そして、表示部２４ａを、地震発生による遮断とは異なる表示動作、例えばＬＥＤを点等させ、ブザー２４ｂを鳴動させて電路遮断機構部１１が動作したことをブザー音で居住者に通知する。
【００２６】
このように、設定された震度の地震が発生しなくても、家屋が傾いたら遮断動作してコンセント１２への電源供給が遮断される。よって、漏電や火災が発生しやすい状態となったら確実にコンセント１２の出力を停止でき、火災や感電事故等の発生を防ぐことができる。また、壁面に設置されることで、家屋の傾き検知を誤検知することもない。加えて、地震感知部２１が家屋の傾きも検出するため、別途倒壊検知部を必要としない。
更に、埋込型コンセント装置１の信号入出力端子２６同士を接続することで、接続された何れかの埋込型コンセント装置１の地震感知部が地震発生信号を出力したら、自身を始め接続されている全ての埋込型コンセント装置１が遮断動作する。そのため、地震感知部２１が故障した埋込型コンセント装置１があっても、複数の埋込型コンセント装置１を連系させることで、地震発生を受けた遮断動作を確実に実施できる。
また、トラッキング放電を検出したら電路を遮断するため、火災の発生を確実に防止できる。
加えて、表示部の表示により遮断原因が地震によるものかトラッキングによるものなのか後から把握でき対処し易いし、電路遮断機構部１１が動作したら報音通知するため、住人は遮断動作したことを認識でき、対処し易い。
【００２７】
尚、上記実施形態は、表示部２４ａを１個のＬＥＤで構成しているが、複数のＬＥＤを設けてカラー表示させ、色の違いで遮断原因を表示させても良い。また、倒壊信号を出力した際には、ブザー音のみで表示部２４ａは表示動作しないが、地震感知やトラッキング検知とは異なる形態で発光表示させても良い。
更に、電路Ｌに対して過電流検知部或いは短絡電流検知部を設けて、分岐遮断器と同様の機能を追加しても良い。
【符号の説明】
【００２８】
１・・埋込型コンセント装置、２・・制御部、１１・・電路遮断機構部（遮断機構部）、１２・・コンセント、２１・・地震感知部（倒壊検知部）、２１ａ・・加速度センサ、２２・・トラッキング検出部、２３・・電源トリップ回路、２４・・通知部、２４ａ・・表示部、２４ｂ・・ブザー、２６・・信号入出力端子、２６ａ・・信号入出力ＩＦ、２７・・コンセントＣＰＵ（遮断制御部）。
【図１】
2019067704.tif 000003
【図２】
2019067704.tif 000004
【図３】
2019067704.tif 000005
【図４】
2019067704.tif 000006